(57)【要約】【課題】　フリクションパッド保持部の剛性を高め、異音の発生を低減することができる給紙装置を提供する。【解決手段】　手差し給紙装置は、本体の側面に対して開閉可能な手差し台１１と、給紙コロ１４と、給紙コロ１４に圧接するフリクションパッド１５とを備えている。フリクションパッド１５は、フリクションパッド保持部２１に保持されており、フリクションパッド保持部２１にあって、手差し台１１と対面する位置には接触部材２３が設けてある。この接触部材２３は手差し台１１を開けた状態で、この手差し台１１に圧接されるようになっている。【選択図】　　図３
2004083288.tif 000002
【特許請求の範囲】
【請求項１】
　装置本体の側面に開閉可能に手差し台を設けると共に、給紙コロに重送紙分離用のフリクションパッドを圧接した給紙装置において、
　前記手差し台の開放状態でこの手差し台を当接支持するフリクションパッド保持部と、
　前記フリクションパッド保持部に設けられて前記フリクションパッドを前記給紙コロに圧接させるばねと、
　前記フリクションパッド保持部における前記手差し台と対面する位置に設けられ、前記手差し台の開放状態で前記手差し台に圧接される接触部材と、
を備え、前記接触部材は振動を吸収することを特徴とする給紙装置。
【請求項２】
　請求項１記載の給紙装置において、前記接触部材を振動吸収部材で構成したことを特徴とする給紙装置。
【請求項３】
　請求項１記載の給紙装置において、前記接触部材は、前記手差し台との当接個所に振動吸収部材を設けていることを特徴とする給紙装置。
【発明の詳細な説明】
【技術分野】
【０００１】
　本発明は、給紙装置、特に装置本体の側面に開閉可能に手差し台を設けると共に、給紙コロに重送紙分離用のフリクションパッドを圧接した給紙装置に関する。
【背景技術】
【０００２】
　手差し給紙装置は、装置本体の側面に手差し台が開閉可能（回動可能）に設けられている。即ち、手差し台は、装置本体の側面と平行になるように折り畳まれた閉位置（非給紙位置）と、本体の側面に対して略直角に開放された開位置（給紙位置）との間で回動可能となっている。
【０００３】
　手差し給紙装置は、大量に積載された定型サイズ紙を自動給紙する給紙装置に比べて割り込みコピー等、臨時的、簡易的に使用することが多いので、その機構も簡単なものとなっており、用紙分離手段としてフリクションパッドを有するものが多い。
【０００４】
　即ち、給紙コロに、フリクションパッドを適宜の圧接力を以て圧接し、給紙コロとフリクションパッドのニップ部に用紙が重送された場合、用紙間の摩擦係数より用紙とフリクションパッド間の摩擦係数が大きいことを利用して、重送紙を捌くようにしたものである。
【発明の開示】
【発明が解決しようとする課題】
【０００５】
　ところで、フリクションパッドを用いた手差し給紙装置において、第二原図紙や薄い紙を通紙すると、フリクションパッド部で異音が発生する不具合がある。異音の原因としては、フリクションパッドの摩擦係数、分離圧、用紙の材質、線速による影響が代表的に挙げられる。しかし、これ以外にフリクションパッドを保持しているフリクションパッド保持部も異音の原因となり得る。
【０００６】
　即ち、フリクションパッド保持部の長さは、最大紙サイズより長く４００ｍｍ以上であり、振動し易い構成である上に最近では低コスト化を図るためにモールド品となっていることが多く、その場合はさらにフリクションパッド保持部の剛性が低下することによりフリクションパッドの振動を吸収できずに、もしくは共振することにより異音が発生している。
【０００７】
　そこで、本発明はフリクションパッド保持部の剛性を高め、異音の発生を低減することができる給紙装置を提供することを目的とする。
【課題を解決するための手段】
【０００８】
　請求項１記載の発明は、装置本体の側面に開閉可能に手差し台を設けると共に、給紙コロに重送紙分離用のフリクションパッドを圧接した給紙装置において、前記手差し台の開放状態でこの手差し台を当接支持するフリクションパッド保持部と、前記フリクションパッド保持部に設けられて前記フリクションパッドを前記給紙コロに圧接させるばねと、前記フリクションパッド保持部における前記手差し台と対面する位置に設けられ、前記手差し台の開放状態で前記手差し台に圧接される接触部材と、を備え、前記接触部材は振動を吸収する。
【０００９】
　請求項２記載の発明は、請求項１記載の給紙装置において、前記接触部材を振動吸収部材で構成した。
【００１０】
　請求項３記載の発明は、請求項１記載の給紙装置において、前記接触部材は、前記手差し台との当接個所に振動吸収部材を設けている。
【００１１】
　したがって、接触部材を介して、開放状態の手差し台によりフリクションパッド保持部を規制することで、フリクションパッド保持部の振動が抑制され、異音が小さくなる。
【発明の効果】
【００１２】
　本発明によれば、接触部材を介して、開放状態の手差し台によりフリクションパッド保持部を規制することで、フリクションパッド保持部の振動を抑制することができ、この結果、異音を小さくすることができる。
【発明を実施するための最良の形態】
【００１３】
　以下、本発明の実施の形態を添付図面に従って説明する。図１は画像形成装置の給紙、搬送系のレイアウト図である。本体給紙装置１と手差し給紙装置２があり、各用紙ガイド部３，４の下流側近傍にはレジストローラ対５がある。レジストローラ対５の下流側には感光体ドラム６及びこれに当接する転写ローラ７がある。さらにその下流側には搬送ベルト８があり、搬送ベルト８の下流側近傍には定着ローラ対９があり、さらにその下流側には排紙ローラ対１０がある。
【００１４】
　本発明の対象となる手差し給紙装置２は、軸支部１２を中心に本体の側面１６に対して開閉可能な手差し台１１と、底板１３と、給紙コロ１４と、給紙コロ１４に圧接するフリクションパッド１５とを備えている。
【００１５】
　手差し給紙装置２から給紙された場合の全体動作を説明する。手差し台１１の底板１３に用紙をセットした後、印字命令により給紙コロ１４が回転する。給紙コロ１４により給紙された用紙が重送している場合は、フリクションパッド１５で１枚ずつに分離され、１枚の用紙がレジストローラ対５に送られ、停止しているレジストローラ対５に突き当たり、弛みを付けられる。これにより用紙のスキューは補正される。
【００１６】
　その後、レジストローラ対５は回転を開始するが、そのタイミングは感光体ドラム６上のトナー画像との位置に合わせられるように調整されている。感光体ドラム６上のトナーは用紙上に転写ローラ７により転写される。このとき、用紙上のトナーは電気的に付着しているだけで、吹いたり手で触ると画像が崩れてしまう状態にある。
【００１７】
　次に用紙が定着ローラ対９に達すると、トナーと用紙に熱と圧力が加えられ、用紙上のトナーは吹いたり手で触っても取れない状態になる。即ち、定着される。最後に、排紙ローラ対１０で用紙は排紙され、用紙収容部に積載される。
【００１８】
　図２は一般的なフリクションパッド保持部の構成図である。図１に示すフリクションパッド１５は、図２に示すようなフリクションパッド保持部２１に保持される。ちなみに図２における左右方向は図１の鉛直方向である。
【００１９】
　図３は第１の実施の形態を示す手差し給紙装置の要部構成図である。フリクションパッド保持部２１は本体部２１ａと揺動片部２１ｂとを有している。揺動片部２１ｂは支点２１ｃを中心にその先端に固定したフリクションパッド１５側が揺動するようになっており、コイルばね２２により上方に付勢されている。従って、このコイルばね２２によりフリクションパッド１５は給紙コロ１４に圧接される。
【００２０】
　また、フリクションパッド保持部２１にあって、手差し台１１と対面する位置には接触部材２３が設けてある。この接触部材２３は手差し台１１を開けた状態で、この手差し台１１に圧接されるようになっている。
【００２１】
　従って、手差し台１１を開放した給紙時には、手差し台１１によって接触部材２３を介してフリクションパッド保持部２１が固定されるため、フリクションパッド保持部２１の剛性が増し、フリクションパッド保持部２１の共振が低減する。
【００２２】
　即ち、フリクションパッド１５の振動は、コイルばね２２、フリクションパッド保持部２１へ伝達され、フリクションパッド保持部２１の剛性が低いと保持部２１が共振し異音が発生するが、接触部材２３の存在によりこれが抑えられる。
【００２３】
　図４は接触部材を設けたフリクションパッド保持部の構成図である。用紙の幅方向２個所に接触部材２３を設けている。中央の１個所に設けるよりは振動抑制効果が高まる。
【００２４】
　図５は接触部材を振動吸収部材で構成した例を示す図である。接触部材２３を植毛部材や発泡プラスチックやゴム部材のような振動吸収部材で構成する。このようにするとフリクションパッド保持部２１の振動が、振動吸収部材で構成される接触部材２３に吸収されるので、さらに異音が小さくなる。
【００２５】
　図６は接触部材表面に滑り部材を貼り付けた例を示す図である。発泡部材やゴム部材で出来た接触部材２３において、手差し台１１と接触する部分（表面）に摩擦係数の低いテープ、シート等の滑り部材２４を貼り付ける。このようにすると、手差し台１１を開けたとき、手差し台１１と滑り部材２４が抵抗なく滑るように接触するため、発泡部材やゴム部材がフリクションパッド保持部２１から剥がれないようになる。
【００２６】
　図７は第２の実施の形態を示す手差し給紙装置の要部構成図、図８はその平面図、図９はその接触部材の構成図である。図７に示す接触部材２３は、剛性を有するかぎ形状をなしてり、手差し台１１のストッパとして機能する。手差し台１１が開いた状態で、この接触部材２３により手差し台１１は係止される。
【００２７】
　これにより、フリクションパッド保持部２１の剛性が高まり、共振が低減される。この接触部材２３は図８に示すように、フリクションパッド保持部２１の複数個所に設けてある。
【００２８】
　また、図９に示すように、このかぎ形状の接触部材２３において、手差し台１１と接触する部分にゴム、発泡プラスチック等の振動吸収部材２５を設けると、さらに振動吸収効率が高まる。
【図面の簡単な説明】
【００２９】
【図１】画像形成装置の給紙、搬送系のレイアウト図である。
【図２】一般的なフリクションパッド保持部の構成図である。
【図３】第１の実施の形態を示す手差し給紙装置の要部構成図である。
【図４】図３の手差し給紙装置のフリクションパッド保持部に接触部材を設けた構成図である。
【図５】図４の接触部材を振動吸収部材で構成した例を示す図である。
【図６】図４の接触部材表面に滑り部材を貼り付けた例を示す図である。
【図７】第２の実施の形態を示す手差し給紙装置の要部構成図である。
【図８】図３の手差し給紙装置の平面図である。
【図９】図７及び図８の手差し給紙装置の接触部材の構成図である。
【符号の説明】
【００３０】
１１　　　手差し台
１４　　　給紙コロ
１５　　　フリクションパッド
２１　　　フリクションパッド保持部
２１ａ　　本体部
２１ｂ　　揺動片部
【図１】
2004083288.tif 000003
【図２】
2004083288.tif 000004
【図３】
2004083288.tif 000005
【図４】
2004083288.tif 000006
【図５】
2004083288.tif 000007
【図６】
2004083288.tif 000008
【図７】
2004083288.tif 000009
【図８】
2004083288.tif 000010
【図９】
2004083288.tif 000011